(57)【要約】      （修正有）【課題】一般消費者が開封開始構造に反する開封操作を行うことを防止し、開封開始構造に従って開封するように導くことができる包装体を提供する。【解決手段】外縁側の縦シール部３１と内縁側の非シール部３２とを備える背貼り部３を有し、背貼り部３に沿って縦方向に開封可能な開封開始構造３３ａ、３４ａを有する包装体１において、背貼り部３は、縦シール部３１と非シール部３２の間の境界線３０ｃに沿って伸びる延長形状の、視覚上周囲と区別可能な態様の開封領域表示３２ｄを具備する。【選択図】図３
0003200012.tif 000002
【実用新案登録請求の範囲】
【請求項１】
袋（１）を構成するフィルム（２）の横方向に対向する一対の側縁（２ｓ１，２ｓ２）同士が合掌状に貼着され、縦方向に沿って伸びるように形成された背貼り部（３）と、前記縦方向の両端において前記横方向に沿って形成された一対の横シール部（４，５）とを備え、前記背貼り部（３）は、外縁側の縦シール部（３１）と、内縁側の非シール部（３２）と、前記縦シール部（３１）及び前記非シール部（３２）の前記縦方向の両側の端縁部分に設けられる端縁シール部（３３，３４）と、を備え、前記端縁シール部（３３，３４）は、前記背貼り部（３）の前記横シール部（４，５）上に配置され、前記横シール部（４，５）及び前記縦シール部（３１）と連続することにより前記非シール部（３２）を封止し、前記端縁シール部（３３、３４）の少なくとも一方に開封開始構造（３３ａ，３４ａ）を備えた包装体において、
前記背貼り部（３）は、前記縦シール部（３１）と前記非シール部（３２）の間の境界線（３０ｃ）に沿って伸びる延長形状の、視覚上周囲と区別可能な態様の開封領域表示（３２ｄ，３２ｄ′，３１ｄ″，３２ｄ″）を具備することを特徴とする包装体。
【請求項２】
前記開封領域表示（３２ｄ，，３２ｄ′，３１ｄ″）は、前記縦方向に伸びる帯状に構成されることを特徴とする請求項１に記載の包装体。
【請求項３】
前記開封領域表示（３２ｄ，３２ｄ′，３２ｄ″）は、前記境界線（３０ｃ）よりも前記非シール部（３２）の側にある範囲内に限定して形成されることを特徴とする請求項１又は２に記載の包装体。
【請求項４】
前記開封領域表示（３１ｄ″，３２ｄ″）は、前記境界線（３０ｃ）に沿って前記縦方向に伸びる表面境界域に対して外縁（３０ａ）の側にある外側表面領域と、前記表面境界域に対して内縁（３０ｂ）の側にある内側表面領域とのそれぞれに相互に異なる態様で形成されていることを特徴とする請求項１又は２に記載の包装体。
【請求項５】
袋（１）を構成するフィルム（２）の横方向に対向する一対の側縁（２ｓ１，２ｓ２）同士が合掌状に貼着され、縦方向に沿って伸びるように形成された背貼り部（３）と、前記縦方向の両端において前記横方向に沿って形成された一対の横シール部（４，５）とを備え、前記背貼り部（３）は、外縁側の縦シール部（３１）と、内縁側の非シール部（３２）と、前記縦シール部（３１）及び前記非シール部（３２）の前記縦方向の両側の端縁部分に設けられる端縁シール部（３３，３４）と、を備え、前記端縁シール部（３３，３４）は、前記背貼り部（３）の前記横シール部（４，５）上に配置され、前記横シール部（４，５）及び前記縦シール部（３１）と連続することにより前記非シール部（３２）を封止し、前記端縁シール部（３３、３４）の少なくとも一方に開封開始構造（３３ａ，３４ａ）を備えた包装体において、
前記開封開始構造（３３ａ，３４ａ）を備えた前記端縁シール部（３３，３４）の外縁領域（３３ｏ）若しくは当該外縁領域（３３ｏ）に隣接する前記縦シール部（３１）の端部の少なくとも一方の表面（３Ａ）に設けられた第１の把持位置表示（３３ｇ，３４ｇ）と、該第１の把持位置表示（３３ｇ，３４ｇ）が設けられた前記少なくとも一方の表面（３Ａ）に隣接する袋本体のフィルム面（２Ａ）における前記横シール部（４，５）若しくは当該横シール部（４，５）に隣接する領域に設けられた第２の把持位置表示（４ｇ，５ｇ）と、を具備することを特徴とする包装体。
【請求項６】
前記背貼り部（３）は両側方のいずれか一方に傾いた状態にあり、前記第１の把持位置表示（３３ｇ，３４ｇ）は前記背貼り部（３）が傾いた側とは反対側の表面（３Ａ）に配置されることを特徴とする請求項５に記載の包装体。
【請求項７】
前記縦シール部（３１）、或いは、前記背貼り部（３）の両側方の少なくともいずれか一方の袋本体のフィルム面（２Ａ，２Ｂ）に、前記第１の把持位置表示（３３ｇ、３４ｇ）と、前記第２の把持位置表示（４ｇ、５ｇ）とをそれぞれ把持して開封する旨の説明表示（３１ｇｓ，２Ａｇｓ）が設けられることを特徴とする請求項５又は６に記載の包装体。
【請求項８】
前記端縁シール部（３３，３４）における前記開封開始構造（３３ａ，３４ａ）に隣接する領域に、周囲とは異なる態様で前記開封開始構造（３３ａ，３４ａ）を示す開封構造表示（３３ｄ，３４ｄ）が設けられることを特徴とする請求項１乃至７のいずれか一項に記載の包装体。
【請求項９】
前記端縁シール部（３３，３４）における前記開封開始構造（３３ａ，３４ａ）に隣接する領域に、前記開封開始構造（３３ａ，３４ａ）から前記境界線（３０ｃ）に向かう開封方向を示す開封方向表示（３３ｄ，３４ｄ）が設けられることを特徴とする請求項１乃至８のいずれか一項に記載の包装体。
【考案の詳細な説明】
【技術分野】
【０００１】
本考案は包装体に係り、特に、背貼り部を備えた袋構造を有する包装体の開封構造に関する。
【背景技術】
【０００２】
一般に、縦方向に伸びる背貼り部と、縦方向の両端に形成される横シール部とを備え、背貼り部を開封する構造を備えた包装体が知られている。例えば、以下の特許文献１に記載されたピロー包装体においては、背シール部１の内縁側に非シール部４を設け、その外縁側にシール部５を形成するとともに、横シール部２上にある背シール部１の端縁にノッチ７を形成することにより、ノッチ７から背シール部１を縦に引き裂くようにして開封する構造を備えている。
【０００３】
また、以下の特許文献２に記載された包装体においては、センターシール部としての開口端形成部４の内部にジッパーなどの開閉手段６を取り付けるとともに、この開閉手段６よりも外縁側に封止部９を形成し、開口端形成部４の端縁にノッチ４ａを形成することにより、ノッチ４ａから開口端形成部４を引き裂くことにより開封すると、開閉手段６により開閉可能な開口部が形成されるように構成されている。
【先行技術文献】
【特許文献】
【０００４】
【特許文献１】実開昭６３−１２３４７９号明細書
【特許文献２】特開平１１−１２４１５０号公報
【考案の概要】
【考案が解決しようとする課題】
【０００５】
しかしながら、上記従来の包装体であって、外縁側のシール部と内縁側の非シール部を備える背貼り部を備えた包装体においては、外縁側のシール部と内縁側の非シール部を備える背貼り部の端縁にノッチなどの開封開始構造を形成しているが、この開封開始構造が一般の消費者には気付かれず、せっかく背貼り部に沿って非シール部を設けたにも拘わらず、横シール部の途中から縦方向にフィルムを引き裂くことによって袋本体が本来想定されているよりも広範囲に引裂かれてしまい、内容物がこぼれてしまったりするなど、開封態様が悪化することが多いという問題点がある。
【０００６】
そこで、本考案は上記問題点を解決するものであり、その課題は、外縁側の縦シール部と内縁側の非シール部とを備える背貼り部を有し、背貼り部に沿って縦方向に開封可能な開封開始構造を有する包装体において、一般消費者が上記開封開始構造に反する開封操作を行うことを防止し、上記開封開始構造に従って開封するように導くことができる包装体の構造を実現することにある。
【課題を解決するための手段】
【０００７】
斯かる実情に鑑み、本考案に係る包装体は、袋（１）を構成するフィルム（２）の横方向に対向する一対の側縁（２ｓ１，２ｓ２）同士が合掌状に貼着され、縦方向に沿って伸びるように形成された背貼り部（３）と、前記縦方向の両端において前記横方向に沿って形成された一対の横シール部（４，５）とを備え、前記背貼り部（３）は、外縁側の縦シール部（３１）と、内縁側の非シール部（３２）と、前記縦シール部（３１）及び前記非シール部（３２）の前記縦方向の両側の端縁部分に設けられる端縁シール部（３３，３４）と、を備え、前記端縁シール部（３３，３４）は、前記背貼り部（３）の前記横シール部（４，５）上に配置され、前記横シール部（４，５）及び前記縦シール部（３１）と連続することにより前記非シール部（３２）を封止し、前記端縁シール部（３３、３４）の少なくとも一方に開封開始構造（３３ａ，３４ａ）を備えた包装体において、前記背貼り部（３）は、前記縦シール部（３１）と前記非シール部（３２）の間の境界線（３０ｃ）に沿って伸びる延長形状の、視覚上周囲と区別可能な態様の開封領域表示（３２ｄ、３２ｄ′，３１ｄ″、３２ｄ″）を具備することを特徴とする。当該開封領域表示（３２ｄ，３２ｄ′，３１ｄ″、３２ｄ″）は、線状、帯状、波状などの各種の表示形態の他に、色彩、光の反射率や透過率、微細な凹凸、各種の模様などが周囲と異なるように構成された延長形状の領域からなる各種の態様を含むことができる。
【０００８】
本考案において、前記開封領域表示（３２ｄ，３２ｄ′，３１ｄ″、３２ｄ″）は、前記縦シール部（３１）と前記非シール部（３２）との間の境界線（３０ｃ）に沿って前記縦方向に伸びる延長形状の領域により形成されることが好ましい。この開封領域表示は、線状、帯状、波状などの各種の延長形状を備えることができる。特に、開封領域表示（３２ｄ，３２ｄ′，３１ｄ″）は、縦方向に伸びる帯状に構成されていることが、縦シール部３１や非シール部３２を含む構造と対応する表示になるため、望ましい。なお、開封領域表示（３２ｄ，３２ｄ′，３１ｄ″、３２ｄ″）は、厳密に境界線（３０ｃ）に一致若しくは隣接している必要はなく、例えば、境界線（３０ｃ）を含む表面領域に形成されていてもよく、境界線（３０ｃ）を含まない表面領域に形成されていてもよい。また、開封領域表示（３２ｄ，３２ｄ′，３１ｄ″、３２ｄ″）は、背貼り部（３）の表面全体に形成されていてもよく、縦シール部（３１）内にのみ形成されていてもよく、非シール部（３２）内にのみ形成されていてもよい。
【０００９】
この場合において、前記開封領域表示（３２ｄ，３２ｄ′，３２ｄ″）は、前記境界線（３０ｃ）よりも前記非シール部（３２）の側にある範囲内に限定して形成されることが好ましい。この場合にはさらに、前記開封領域表示（３２ｄ，３２ｄ′，３２ｄ″）は、前記非シール部（３２）内に限定されることが望ましい。開封された開口縁となるべき非シール部（３２）を示す表示となるからである。
【００１０】
本考案において、前記開封領域表示（３１ｄ″，３２ｄ″）は、前記境界線（３０ｃ）に沿って前記縦方向に伸びる表面境界域に対して外縁（３０ａ）の側にある外側表面領域と、前記表面境界域に対して内縁（３０ｂ）の側にある内側表面領域とのそれぞれに相互に異なる態様で形成されていることが好ましい。
【００１１】
本考案において、前記背貼り部（３）は両側方のいずれか一方に傾いた状態にあり、前記外観は前記背貼り部（３）が傾いた側とは反対側の表面（３Ａ）に配置されることが好ましい。この場合において、傾斜した背貼り部（３）は、背貼り部（３）が袋本体のフィルム面（２Ａ，２Ｂ）に対して斜めの姿勢を有する状態であってもよく、背貼り部（３）が袋本体のフィルム面（２Ａ，２Ｂ）に対してほぼ平行になるように対向配置された状態、或いは、当該フィルム面（２Ａ，２Ｂ）に接触するように倒伏した状態であっても構わない。
【００１２】
次に、本考案に係る別の包装体は、袋（１）を構成するフィルム（２）の横方向に対向する一対の側縁（２ｓ１，２ｓ２）同士が合掌状に貼着され、縦方向に沿って伸びるように形成された背貼り部（３）と、前記縦方向の両端において前記横方向に沿って形成された一対の横シール部（４，５）とを備え、前記背貼り部（３）は、外縁側の縦シール部（３１）と、内縁側の非シール部（３２）と、前記縦シール部（３１）及び前記非シール部（３２）の前記縦方向の両側の端縁部分に設けられる端縁シール部（３３，３４）と、を備え、前記端縁シール部（３３，３４）は、前記背貼り部（３）の前記横シール部（４，５）上に配置され、前記横シール部（４，５）及び前記縦シール部（３１）と連続することにより前記非シール部（３２）を封止し、前記端縁シール部（３３、３４）の少なくとも一方に開封開始構造（３３ａ，３４ａ）を備えた包装体において、前記開封開始構造（３３ａ，３４ａ）を備えた前記端縁シール部（３３，３４）の外縁領域（３３ｏ）若しくは当該外縁領域（３３ｏ）に隣接する前記縦シール部（３１）の端部の少なくとも一方の表面（３Ａ）に設けられた第１の把持位置表示（３３ｇ，３４ｇ）と、該第１の把持位置表示（３３ｇ，３４ｇ）が設けられた前記少なくとも一方の表面（３Ａ）に隣接する袋本体のフィルム面（２Ａ）における前記横シール部（４，５）若しくは当該横シール部（４，５）に隣接する領域に設けられた第２の把持位置表示（４ｇ，５ｇ）とを具備することを特徴とする。
【００１３】
本考案において、前記背貼り部（３）は両側方のいずれか一方に傾いた状態にあり、前記第１の把持位置表示（３３ｇ，３４ｇ）は前記背貼り部（３）が傾いた側とは反対側の表面（３Ａ）に配置されることが好ましい。この場合において、傾斜した背貼り部（３）は、背貼り部（３）が袋本体のフィルム面（２Ａ，２Ｂ）に対して斜めの姿勢を有する状態であってもよく、背貼り部（３）が袋本体のフィルム面（２Ａ，２Ｂ）に対してほぼ平行になるように対向配置された状態、或いは、当該フィルム面（２Ａ，２Ｂ）に接触するように倒伏した状態であっても構わない。
【００１４】
本考案において、前記縦シール部（３１）、或いは、前記背貼り部（３）の両側方の少なくともいずれか一方の袋本体のフィルム面（２Ａ，２Ｂ）に、前記第１の把持位置表示（３３ｇ、３４ｇ）と、前記第２の把持位置表示（４ｇ、５ｇ）とをそれぞれ把持して開封する旨の説明表示（３１ｇｓ，２Ａｇｓ）が設けられることが望ましい。当該説明表示は、文字列を備えるもの（文字列説明表示）であってもよく、図解を備えるもの（図示説明表示）であってもよく、文字列と図解の双方を備えるものであってもよい。
【００１５】
上記各考案においては、前記端縁シール部（３３，３４）における前記開封開始構造（３３ａ，３４ａ）に隣接する領域に、周囲と異なる態様で前記開封開始構造（３３ａ，３４ａ）を示す開封構造表示（３３ｄ，３４ｄ）が設けられることが好ましい。
【００１６】
また、前記端縁シール部（３３，３４）における前記開封開始構造（３３ａ，３４ａ）に隣接する領域に、前記開封開始構造（３３ａ，３４ａ）から前記境界線（３０ｃ）に向かう開封方向を示す開封方向表示（３３ｄ，３４ｄ）が設けられることが好ましい。
【００１７】
さらに、上記開封構造表示若しくは上記開封方向表示（３３ｄ，３４ｄ）は、前記端縁シール部（３３，３４）における前記開封開始構造（３３ａ，３４ａ）の内外方向の両側にわたって設けられることが望ましい。
【考案の効果】
【００１８】
本考案によれば、外縁側のシール部と内縁側の非シール部とを備える背貼り部を有し、背貼り部の端縁に開封開始構造を備えた包装体において、一般消費者が開封開始構造に従って容易に背貼り部に沿って開封することができるという優れた効果を奏し得る。
【図面の簡単な説明】
【００１９】
【図１】本考案に係る実施形態の包装体１の基本構造を示す背面斜視図である。
【図２】上記実施形態の包装体１の背貼り部３の端縁シール部３３の基本構造を拡大して示す拡大部分側面図である。
【図３】上記実施形態の包装体１において、背貼り部３を図示右側の袋本体のフィルム面上に倒伏させた状態にしたときの全体構成を示す背面図である。
【図４】上記実施形態の包装体１の背貼り部３の端縁シール部３３を拡大して示す拡大部分側面図である。
【図５】開封開始構造の他の例３３ｂ，３３ｃを示す部分拡大側面図（ａ）及び（ｂ）である。
【図６】背貼り部３の構造（ａ）並びに傾斜態様（ｂ）及び（ｃ）を模式的に示す断面図である。
【図７】把持位置表示の他の例を他の袋態様とともに示す部分斜視図である。
【図８】把持位置表示のさらに別の例を別の袋態様とともに示す部分斜視図である。
【図９】上記実施形態を構成するための製袋用のフィルムの印刷パターンの一例を示す平面図である。
【図１０】上記実施形態を構成するための製袋用のフィルムの印刷パターンの別の例を示す平面図である。
【図１１】上記実施形態を構成するための製袋用のフィルムの印刷パターンのさらに別の例を示す平面図である。
【図１２】上記実施形態を構成するための製袋用のフィルムの印刷パターンの異なる例を示す平面図である。
【考案を実施するための形態】
【００２０】
次に、添付図面を参照して本考案の実施形態について詳細に説明する。図１は、本考案に係る包装体１の全体構成を示す背面斜視図である。この包装体１を構成するフィルム２は特に限定されないが、一般的には、包装用途に応じて選定される基材層の内面上にシール性の良好なシーラント層をラミネートした片面シール性を有する合成樹脂フィルムを用いる。包装体１では、上記フィルム２の横方向（図示左右方向）の相互に対向する一対の側縁２ｓ１と２ｓ２を合掌状に内面同士が向かい合う状態でヒートシールなどにより貼り合わせた背貼り部３が図示中央に形成される。背貼り部３の外縁側には、縦方向（図示上下方向）に沿って伸びる縦シール部３１が形成されている。縦シール部３１の外縁は背貼り部３の外縁３０ａとなっている。また、背貼り部３の内縁側には、縦方向に沿って伸びる非シール部３２が形成されている。非シール部３２の基部（内容物を収容する袋本体との境界位置）は背貼り部３の内縁３０ｂとなっている。
【００２１】
包装体１の縦方向の両端部はヒートシールなどにより幅方向にシールされた横シール部４，５とされる。例えば、これらの横シール部４，５のうちの一方が予め封鎖された袋構造が供給される場合には、当該袋の内部に図示しない内容物を収容した後に他方が封鎖される。また、ピロー包装においては、背貼りによって構成される筒状の包装材の内部に複数の収容物が間隔を有して配置され、前後の収容物の間において横シール部４と５に相当する部分が同時にシールされ、その直後に横シール部４と５が互いに切り離される。
【００２２】
背貼り部３の上記横シール部４，５上に配置される端縁部には端縁シール部３３，３４が形成されている。この端縁シール部３３，３４は、図２に示すように、上記シール部３１の縦方向（図２の左右方向）の両側にそれぞれ隣接する外側領域３３ｏ，３４ｏ（３４ｏは図示せず）と、上記非シール部３２の縦方向の両側にそれぞれ隣接する内側領域３３ｉ，３４ｉ（３４ｉは図示せず）とが一体に構成される。そして、端縁シール部３３，３４は、上記横シール部４，５と上記縦シール部３１のいずれにも連続することにより、上記非シール部３２を袋の外部に対して封止している。なお、包装体１において、上記背貼り部３以外の部分はフィルム２からなる袋本体であり、この袋本体の内部における横シール部４と５の間の収容空間に各種の収容物が収納された状態とされる。
【００２３】
背貼り部３において、上記シール部３１と上記非シール部３２の境界線３０ｃは縦方向に沿って直線状に伸びるように形成される。また、上記端縁シール部３３，３４の縁部には開封開始構造３３ａ，３４ａが設けられている。この開封開始構造は図１では台形型の先端形状を有するノッチや切り欠きなどである。なお、図示例では端縁シール部３３，３４の双方に開封開始構造３３ａ，３４ａを設けているが、端縁シール部３３，３４のうち、縦方向の少なくとも一方の端縁シール部に開封開始構造を設ければよい。例えば、ピロー包装などにおいて、横シール部４及び５を同時にヒートシールによって形成し、その後、横シール部４と５を切断して分離する場合には、その切断形状によって横シール部４及び５とともに切断される背貼り部３の端部の一方に開封開始構造としてのノッチが形成され、他方に当該ノッチに対応する突起が形成されるようにしてもよい。また、端縁シール部３３に設ける開封開始構造と、端縁シール部３４に設ける開封開始構造とは、相互に異なる構造であってもよいが、基本的に相互に同様の構成を採り得るので、以下においては、端縁シール部３３についてのみ説明し、端縁シール部３４の開封開始構造の説明は省略する。
【００２４】
図２には、開封開始構造３３ａを備えた背貼り部３の端部近傍の拡大部分側面図が示される。ただし、本考案の開封開始構造としては、上記の台形型のノッチからなる開封開始構造３３ａ，３４ａの他に、図５（ａ）に示す切り込み（Ｉ字型のノッチ）からなる開封開始構造３３ｂや図５（ｂ）に示すＶ字型のノッチからなる開封開始構造３３ｃなど、種々の形状からなる各種の開封開始構造を用いることができる。さらに、開封開始構造は、上記ノッチ（切り欠き）や切り込み（スリット）に限らず、図７に示すようなミシン目、ハーフカット線、微小な穿孔や傷痕の列などからなる各種の切り裂き線であってもよい。すなわち、これらの切り裂き線が延在する方向と、それらの開封先に向かう方向（縦方向）の先端に相当する開封開始端３３ｐの位置を観念することができるものであって、結果として縦方向に向けた易開封作用を奏するものであれば、上記開封開始構造として用いることができる。
【００２５】
次に、図２を参照して、本考案に係る第１実施形態の包装体１の詳細な構造について説明する。本実施形態においては、一方の端縁シール部３３の端縁部から切り欠き状に構成されたノッチからなる開封開始構造３３ａが形成されている。この開封開始構造３３ａは、Ｖ字状の先端形状を有し、その先端の頂点が先端である開封開始端３３ｐとなっている。この開封開始端３３ｐは、縦シール部３１の縦方向の側（図示左側）にある外側領域３３ｏではなく、非シール部３２の縦方向の側（図示左側）にある内側領域３３ｉ内に配置されている。この開封開始端３３ｐの位置は、開封開始端３３ｐから切り裂き線が縦方向に伸びて端縁シール部３３、３４の縦シール部３１及び非シール部３２との境界に達したときに、当該切り裂き線が境界線３０ｃの近傍のやや内縁側から非シール部３２に進入し、それ以降、上記切り裂き線が非シール部３２内において境界線３０ｃに沿って縦方向に伸びるように意図されている。
【００２６】
本実施形態の場合、フィルム２の材質や構造は特に限定されない。これは、上記端縁シール部３３に開封開始構造３３ａが形成されているため、手切れ性を有しないフィルムであっても、容易に開封を開始することができるからである。ただし、開封をさらに容易化するためには、上記縦方向に引き裂きやすい特性を有するカット方向性のあるものが好ましく、例えば、上記縦方向に延伸した一軸延伸フィルム（一軸延伸ポリプロピレン（ＯＰＰ）、一軸延伸ポリエチレン（ＨＤＰＥ））などが挙げられる。ピロー包装機などの製袋装置に使用するフィルム２の原反としては、当該原反の縦方向に沿ってカット性を有するものを用いることが望ましい。
【００２７】
フィルム２は上述のように樹脂フィルムであれば特に限定されないが、ヒートシールを用いて製袋することができるようにするために、基材層とシーラント層の二層構造を有するものであることが好ましい。また、フィルム２の厚みは２０?１００μｍであることが好ましく、３０〜８０μｍであることが望ましい。引き裂き性については上述のように方向性を有しないもので良いが、一軸延伸フィルムなどのカット性を有するフィルムであれば、上記縦方向にカット性を有することが好ましい。
【００２８】
図３及び図４は、図１及び図２に示す基本構造を備えた上記第１実施形態の包装体１に形成される外観を模式的に示している。本実施形態では、背貼り部３の外観として、背貼り部３の表裏両面を構成する一方の表面部３Ａと他方の表面部３Ｂのうちの少なくとも一方の表面部３Ａに、縦シール部３１と非シール部３２の間の境界線３０ｃに沿って縦方向に伸びる開封領域表示３２ｄを具備する。この開封領域表示３２ｄは、背貼り部３の表面部３Ａ上に設けられた視覚上周囲と区別可能な態様を有し、かつ、縦方向に沿った、すなわち、境界線３０ｃに沿った延長形状を有する。
【００２９】
開封領域表示３２ｄの態様は、例えば、文字、図形、記号、模様、凹凸、透光性、反射性、若しくは、色彩、或いは、これらのうちの二以上の結合からなることができる。また、開封領域表示３２ｄは、フィルム２への印刷の他に、貼付け、押印、転写、刻印、レーザ加工などの各種の方法（以下、単に「印刷等」という。）で設けることができる。これらの点は、後述する他の表示についても同様である。
【００３０】
図示例では、背貼り部３の外観において、上記の開封領域表示３２ｄは、背貼り部３の一方の表面部３Ａの中で縦方向に帯状に伸びる非シール部３２の表面部分において、境界線３０ｃに沿って縦方向に伸びる帯状の印刷等によって形成された領域である。この開封領域表示３２ｄは、上記境界線３０ｃよりも僅かに内縁３０ｂの側に入り込んだ位置を縦方向に伸びる外縁線３２ｄｏとし、内縁３０ｂに対してやや上記境界線３０ｃの側に入り込んだ位置を縦方向に伸びる内縁線３０ｄｉとする帯状の領域である。開封領域表示３２ｄは、例えば、図１０〜図１２に示す印刷パターンのように、外縁線３２ｄｏと内縁線３２ｄｉとの二本の線分を印刷することによって構成されていてもよく、或いは、これに、外縁線３２ｄｏと内縁線３２ｄｉとの間に「カットゾーン」などの文字列を配列させたものであってもよい。また、開封領域表示３２ｄは、上述のように外縁線３２ｄｏと内縁線３２ｄｉが印刷等によって表わされているか否かを問わず、図９に示す印刷パターンのように、外縁線３２ｄｏと内縁線３２ｄｉとの間の領域を、その外側にある領域とは異なる模様、色彩、反射率、透過率等にしたものであってもよい。この場合に、上記の文字列を表示する場合、当該文字列を所定の色彩にて表示するだけでなく、図９に示すように抜き文字にして表示してもよい。
【００３１】
上述の開封領域表示３２ｄは、図示例のように非シール部３２内にのみ上述のように所定の表示を施すことによっても構成できるが、縦シール部３１と非シール部３２の間にそれぞれ相互に異なる文字、図形、記号、凹凸、模様、色彩、光の反射率や透過率などを設定することによっても構成することができる。例えば、図９に示すフィルム２の印刷パターンでは、境界線３０ｃに沿って縦方向に伸びる表面境界域の外側にある外側表面領域を薄い第１の色相（例えば、淡い青色）で塗りつぶし、当該表面境界域の内側にある内側表面領域を濃色の第２の色相（例えば、濃いオレンジ色）で塗りつぶすことによって、延長形状の開封領域表示を形成している。この場合において、外側表面領域には、第１の色相の背景を有する帯状の領域内に、開封方法の説明書きが重畳するように印刷等により形成されている。また、内側表面領域には、第２の色相の背景を有する帯状の領域内に、「カットゾーン」の白抜き文字が表示されている。
【００３２】
本実施形態では、上述のように、境界線３０ｃに沿って縦方向に伸びる延長形状の開封領域表示を一つの特徴とするが、この場合に、周囲とは異なる態様で開封開始構造３３ａを示す開封構造表示３３ｄ，３４ｄを設けることが好ましい。図３及び図４に示す開封構造表示３３ｄ，３４ｄは、開封開始構造３３ａ，３４ａに隣接する領域に、周囲に向けて異なる色彩の帯状の輪郭線を交互に配列させた縁取り構造を備えている。ただし、この開封構造表示３３ｄ，３４ｄは、周囲と異なる色彩や濃淡を有する単なる一様な態様の印刷等によるパターン領域であってもよい。
【００３３】
また、この開封構造表示３３ｄは、ノッチ形状に合わせた縁取り構造によって縦方向に向かう矢印状の表示を構成していると見ることができ、開封開始構造３３ａ，３４ａを用いた場合の開封方向を示す開封方向表示にもなっている。一般的には、開封方向を示す矢印状や三角状のパターンを用いることにより、開封方向表示とすることができる。なお、上記の開封領域表示３２ｄは、非シール部３２だけでなく、非シール部３２から隣接する端縁シール部３３，３４内にも延在し、上記開封構造表示若しくは上記開封方向表示３３ｄに達する位置まで印刷されている。このようにすると、開封開始構造３３ａ，３４ａに気づきやすくなるとともに、当該開封開始構造３３ａ，３４ａと開封領域である非シール部３２若しくは境界線３０ｃとの関係をより容易に把握しやすくなり、その開封方向も容易に知ることができるようになる。
【００３４】
本実施形態においては、図６（ａ）に示すように、背貼り部３がフィルム２の両側縁２ｓ１と２ｓ２の内面同士をヒートシールすることによって構成されている。この場合に、製袋工程やピロー包装の過程において、センターシール部である背貼り部３は、多くの場合、図６（ｂ）又は（ｃ）に示すように、左右いずれかの側の袋本体のフィルム面に向けて傾斜した状態に形成される。背貼り部３の傾斜態様は、図６（ｂ）に示すように片側へ弱く傾いた状態になることもあり、図６（ｃ）に示すように、袋本体のフィルム面２Ａ，２Ｂのうちの片方に密着するほどに強く傾いた状態になることもある。いずれの場合においても、背貼り部３の傾いた側（図示右側）とは反対側（図示左側）の背貼り部３の表面部３Ａが外部から視認しやすくなる。したがって、この表面部３Ａに上記開封領域表示３２ｄや開封構造表示若しくは開封方向表示３３ｄを設けることが好ましい。ただし、他方の表面部３Ｂにも同様の表示を設けるようにしても構わない。
【００３５】
本実施形態においては、もう一つの特徴点である、一対の把持位置表示３３ｇ，４ｇ又は３４ｇ，５ｇが形成されている。ただし、これらの把持位置表示は、上記開封領域表示３２ｄを設けない場合においても単独で設けることができる。図３に示すように、表面部３Ａにおいて、縦シール部３１の両端部である、端縁シール部３３，３４及びこれと隣接する領域に、第１の把持位置表示３３ｇ，３４ｇが印刷等によって形成されている。この第１の把持位置表示３３ｇ，３４ｇは、端縁シール部３３，３４のうちの外縁領域３３ｏ内、若しくは、端縁シール部３３，３４に隣接する縦シール部３１の端部内に形成される。図示例では、第１の把持位置表示３３ｇ，３４ｇは、外縁領域３３ｏと縦シール部３１の端部との境界線に跨る位置に形成されている。また、第１の把持位置表示３３ｇ，３４ｇは、端縁シール部３３，３４の端縁３３ｅ，３４ｅから縦シール部３１へ向かう方向（これは縦方向、すなわち、開封する方向と一致する。）に向けた矢印形状を備えている。したがって、図示例の第１の把持位置表示３３ｇ，３４ｇは、開封開始構造３３ａ，３４ａに隣接する位置に設けられているため、上述の開封方向表示にも該当する。
【００３６】
一方、上記第１の把持位置表示３３ｇ，３４ｇが設けられている表面部３Ａに隣接する袋本体のフィルム面２Ａ上には、第２の把持位置表示４ｇ，５ｇが形成されている。この第２の把持位置表示４ｇ，５ｇは、横シール部４，５若しくは、これらの横シール部４，５に隣接する袋本体のフィルム面２Ａ上に形成される。図示例では、第２の把持位置表示４ｇ，５ｇは、横シール部４，５と、これに隣接する袋本体のフィルム面２Ａ上との間に跨るように形成されている。第２の把持位置表示４ｇ、５ｇの形状は、図示例では楕円形状である。なお、第１の把持位置表示３３ｇ，３４ｇ及び第２の把持位置表示４ｇ，５ｇの形状、模様、色彩等は特に限定されるものではない。
【００３７】
本実施形態においては、上記第１の把持位置表示３３ｇ，３４ｇ及び第２の把持位置表示４ｇ，５ｇが形成された部位をそれぞれ別の手で把持し、開封開始構造３３ａ，３４ａから縦方向に引き裂く方法で開封する旨の説明表示が設けられている。すなわち、本実施形態においては、縦シール部３１において、縦方向に沿って文字列が表示されてなる文字列説明表示３１ｇｓと、背貼り部３の側方に配置される袋本体のフィルム面２Ａ上に形成された図示説明表示２Ａｇｓとが設けられている。文字列説明表示３１ｇｓと図示説明表示２Ａｇｓの具体的な例は図９乃至図１２に示すフィルム２の印刷パターンにも示されている。
【００３８】
なお、上記第１の把持位置表示３３ｇ，３４ｇは、背貼り部３の一方の表面部３Ａに設けられ、第２の把持位置表示４ｇ，５ｇは、この一方の表面部３Ａに隣接する側の横シール部４，５（袋本体のフィルム面２Ａの端縁に形成された横シール部４，５）若しくはこれに隣接する袋本体のフィルム面２Ａ上の領域に形成される。このことは、背貼り部３が表面部３Ａとは反対側に傾斜した状態とされている場合に一対の把持位置表示の視認性を高めるうえで効果的である。ただし、他方の表面部３Ｂ及びこれに隣接する４，５，２Ｂなどの各箇所にも、上記と対応する一対の把持位置表示を設けても構わない。
【００３９】
図７は、他の実施形態の例を示す部分拡大図である。この実施形態では、背貼り部３の表面部３Ａ上の端縁シール部３３において、端縁３３ｅから形成されたミシン目状の切り込みからなる開封開始構造３３ｂ′が設けられている。そして、この開封開始構造３３ｂ′の周囲には印刷等によって形成された縁取り模様からなる開封構造表示３３ｄ′が形成されている。また、この実施形態では、背貼り部３の表面部３Ａにおいて、端縁シール部３３の外側領域３３ｏの表面上に第１の把持位置表示３３ｇ′が形成されている。また、端縁シール部３３に隣接する横シール部４（フィルム面２Ａの端縁）に第２の把持位置表示４ｇ′が形成されている。さらに、背貼り部３の表面部３Ａにおいて、非シール部３２の表面上には開封領域表示３２ｄ′が形成されている。
【００４０】
図８は、さらに別の実施形態の例を示す部分拡大図である。この実施形態では、背貼り部３の表面部３Ａ上の端縁シール部３３の端縁３３ｅは、横シール部４の端縁４ｅと同様に、端縁に沿ってギザギザ状に形成された端縁形状を備えている。したがって、この実施形態では、端縁シール部３３の端縁３３ｅの全体にわたって開封開始構造３３ｂ″が形成されている。実際には、これらの端縁３３ｅに沿って形成された端縁形状のうちの一部を開封開始構造３３ｂ″として用いることになる。また、この実施形態では、背貼り部３の表面部３Ａにおいて、端縁シール部３３の外側領域３３ｏの表面上に第１の把持位置表示３３ｇ″が形成されている。また、端縁シール部３３に隣接する横シール部４（フィルム面２Ａに隣接する部分）に第２の把持位置表示４ｇ″が形成されている。
【００４１】
さらに、背貼り部３の表面部３Ａにおいて、非シール部３２の表面上には、境界線３０ｃの両側にそれぞれ開封領域表示３１ｄ″と３２ｄ″が形成されている。ここで、開封領域表示３１ｄ″は、直線状の線形若しくは帯形に構成されている。また、開封領域表示３２ｄ″は、ジグザグ状の線形に、若しくは、複数の三角形が縦方向に配列された形状に構成されている。開封領域表示３１ｄ″と３２ｄ″の境界である表面境界域は境界線３０ｃ上ではなくてもよい。例えば、図示例では、表面境界域は、境界線３０ｃからやや非シール部３２の側に入り込んだ表面部位に設けられる。また、この表面境界域は、幅を持たない線状に構成されていてもよく、幅を有する帯状や波状に形成されていてもよい。いずれにしても、この実施形態では、背貼り部３の少なくとも一方の表面部３Ａにおいて、表面境界域を挟んだ両側に、少なくとも二つの開封領域表示３１ｄ″，３２ｄ″が形成されている。このように、相互に視覚上区別可能な態様の複数の開封領域表示３１ｄ″，３２ｄ″がストライプ状に形成されることで、実施形態が有する背貼り部３の縦シール部３１と非シール部３２によって構成される開封構造がさらに強調され、一般消費者が開封構造を把握しやすくなる。このようなストライプ状の表示構造は、図９〜図１２の印刷パターンにも示されている。
【００４２】
尚、本考案に係る包装体は、上述の図示例にのみ限定されるものではなく、本考案の要旨を逸脱しない範囲内において種々変更を加え得ることは勿論である。例えば、図示例ではピロー包装と同様に側縁が連続する袋構造となっているが、開封構造としての背貼り部３を有するものであれば、例えば、３方シール袋や４方シール袋などであってもよいなど、他の部分が異なる構造を有するものであっても構わず、適宜に変更することができる。
【符号の説明】
【００４３】
１…包装体、２…フィルム、２Ａ，２Ｂ…袋本体のフィルム面、２ｓ１，２ｓ２…一対の側縁、３…背貼り部、３０ａ…外縁、３０ｂ…内縁、３０ｃ…境界線、３１…シール部、３２…非シール部、３３，３４…端縁シール部、３３ｏ…外側領域、３３ｉ…内側領域、３３ａ〜３３ｃ…開封開始構造、３３ｐ…開封開始端、４，５…横シール部、３２ｄ，３２ｄ′，３１ｄ″，３２ｄ″…開封領域表示、３３ｄ…開封構造表示（開封方向表示）、３３ｇ，３４ｇ…第１の把持位置表示、４ｇ，５ｇ…第２の把持位置表示
【図１】
0003200012.tif 000003
【図２】
0003200012.tif 000004
【図３】
0003200012.tif 000005
【図５】
0003200012.tif 000006
【図６】
0003200012.tif 000007
【図７】
0003200012.tif 000008
【図８】
0003200012.tif 000009
【図４】
0003200012.tif 000010
【図９】
0003200012.tif 000011
【図１０】
0003200012.tif 000012
【図１１】
0003200012.tif 000013
【図１２】
0003200012.tif 000014
【手続補正書】
【提出日】平成27年7月15日(2015.7.15)
【手続補正１】
【補正対象書類名】明細書
【補正対象項目名】００１６
【補正方法】変更
【補正の内容】
【００１６】
また、前記端縁シール部（３３，３４）における前記開封開始構造（３３ａ，３４ａ）に隣接する領域に、前記開封開始構造（３３ａ，３４ａ）から前記縦シール部（３１）と前記非シール部（３２）の間の境界線（３０ｃ）に向かう開封方向を示す開封方向表示（３３ｄ，３４ｄ）が設けられることが好ましい。
【手続補正２】
【補正対象書類名】実用新案登録請求の範囲
【補正対象項目名】請求項９
【補正方法】変更
【補正の内容】
【請求項９】
前記端縁シール部（３３，３４）における前記開封開始構造（３３ａ，３４ａ）に隣接する領域に、前記開封開始構造（３３ａ，３４ａ）から前記縦シール部（３１）と前記非シール部（３２）の間の境界線（３０ｃ）に向かう開封方向を示す開封方向表示（３３ｄ，３４ｄ）が設けられることを特徴とする請求項１乃至８のいずれか一項に記載の包装体。